(57)【特許請求の範囲】
【請求項１】
ゴルフクラブヘッドボディと、
打球面と、
ゴルフクラブヘッド中の圧電部材と
を含み、
該圧電部材が、該圧電部材に動作可能に接続された制御装置を通して提供される入力によって選択的に調節されるように構成されており、
該圧電部材が、該制御装置によって提供される該入力に応答して、該ゴルフクラブヘッドボディに第一の属性を提供するための第一の形態を有することができ、かつ該第一の属性とは異なる第二の属性を該ボディに提供するための第二の形態を有することができ、
該打球面中に複数の溝を含み、
第一および第二の属性が、該複数の溝のうち一つまたは複数の溝の容積である、
ゴルフクラブヘッド。
【請求項２】
圧電部材が複数の圧電部材を含み、そのそれぞれが打球面中の複数の溝の各溝の中に配置されている、請求項1記載のゴルフクラブヘッド。
【請求項３】
圧電部材の第一の形態が、打球面の複数の溝の中に配置された、それぞれが第一のサイズを有する複数の圧電部材を含み、かつ該圧電部材の第二の形態が、該打球面の該複数の溝の中に配置された、それぞれが第二のサイズを有する複数の圧電部材を含む、請求項2記載のゴルフクラブヘッド。
【請求項４】
ゴルフクラブヘッドボディと、
打球面と、
打球面の背後にある空洞と、
ゴルフクラブヘッド中の圧電部材と
を含む、ゴルフクラブヘッドであって、
該圧電部材が、該圧電部材に動作可能に接続された制御装置を通して提供される入力によって選択的に調節されるように構成されており、
該圧電部材が、該制御装置によって提供される該入力に応答して、該ゴルフクラブヘッドボディに第一の属性を提供するための第一の形態を有することができ、かつ該第一の属性とは異なる第二の属性を該ボディに提供するための第二の形態を有することができ、
該圧電部材が、ゴルフクラブヘッドの打球面の実質的に背後に延びるように構成されたプレートを含み、該圧電部材の第一の形態が、第一のサイズを有する圧電部材を含み、かつ該圧電部材の第二の形態が、第二のサイズを有する圧電部材を含み、
第一の形態または第二の形態のいずれかにおいて、該圧電部材が該空洞に侵入して該空洞を満たす、
前記ゴルフクラブヘッド。
【請求項５】
圧電部材の第一の形態が、ゴルフクラブヘッドの打球面の背後で第一の内部応力を提供し、かつ該圧電部材の第二の形態が、該ゴルフクラブヘッドの該打球面の背後で、該第一の内部応力とは異なる第二の内部応力を提供する、請求項4記載のゴルフクラブヘッド。
【請求項６】
圧電部材の第一の形態が、その第一端における第一の厚さおよびその第二端における第二の厚さを有する圧電部材を含み、そのため該圧電部材が、該第二端から該第一端に向かう第一の角度を示し、かつ該圧電部材の第二の形態が、該第二端から該第一端に向かう、該第一の角度とは異なる第二の角度を示す圧電部材を含む、請求項4記載のゴルフクラブヘッド。
【請求項７】
第一および第二の属性がゴルフクラブヘッドのロフト角である、請求項6記載のゴルフクラブヘッド。
【請求項８】
ゴルフクラブヘッドボディと、
打球面と、
ゴルフクラブヘッド中の圧電部材と、
打球面中の複数の溝と、
該打球面中の該溝を画定する、該打球面中の複数のスラット板と
を含む、ゴルフクラブヘッドであって、
該圧電部材が、該圧電部材に動作可能に接続された制御装置を通して提供される入力によって選択的に調節されるように構成されており、
該圧電部材が、該制御装置によって提供される該入力に応答して、該ゴルフクラブヘッドボディに第一の属性を提供するための第一の形態を有することができ、かつ該第一の属性とは異なる第二の属性を該ボディに提供するための第二の形態を有することができ、
第一および第二の属性が、該複数の溝のうち一つまたは複数の溝の角度である、
前記ゴルフクラブヘッド。
【請求項９】
圧電部材が複数の圧電部材を含み、そのそれぞれが打球面の複数のスラット板のうちあるスラット板の背後に配置されている、請求項8記載のゴルフクラブヘッド。
【請求項１０】
圧電部材の第一の形態が、打球面の複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含む、請求項9記載のゴルフクラブヘッド。
【請求項１１】
圧電部材の第一の形態が、その第一端における第一の厚さおよびその第二端における第二の厚さを有する各圧電部材を含み、そのため各圧電部材が、該第二端から該第一端に向かう第一の角度を示し、かつ該圧電部材の第二の形態が、該第二端から該第一端に向かう、該第一の角度とは異なる第二の角度を示す各圧電部材を含む、請求項10記載のゴルフクラブヘッド。
【請求項１２】
前記打球面中の該溝を画定する、該打球面中の複数のスラット板を含む、請求項1記載のゴルフクラブヘッド。
【請求項１３】
圧電部材が複数の圧電部材を含み、そのそれぞれが打球面中の複数のスラット板のうちあるスラット板の背後に配置されている、請求項12記載のゴルフクラブヘッド。
【請求項１４】
圧電部材の第一の形態が、打球面の複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含む、請求項13記載のゴルフクラブヘッド。
【請求項１５】
圧電部材の第二の形態が、第一の形態の打球面の面を越えて延びる打球面のスラット板を含む、請求項13記載のゴルフクラブヘッド。
【請求項１６】
アイアンタイプゴルフクラブヘッドである、請求項1記載のゴルフクラブヘッド。
【請求項１７】
ウッドタイプゴルフクラブヘッドである、請求項1記載のゴルフクラブヘッド。
【請求項１８】
パターヘッドである、請求項1記載のゴルフクラブヘッド。
【請求項１９】
制御装置が、電圧を圧電部材に印加して該圧電部材の形態を変化させるように構成されている、請求項1記載のゴルフクラブヘッド。
【請求項２０】
圧電部材に印加される電圧が選択的に調節されることが可能であるように、制御装置が構成されている、請求項19記載のゴルフクラブヘッド。
【請求項２１】
ゴルフクラブヘッドボディと、
打球面と、
該ゴルフクラブヘッドボディ中の圧電部材と
を含む、ゴルフクラブヘッド、
該ゴルフクラブヘッドと係合するように構成されたシャフト、ならびに
該圧電部材に動作可能に接続された制御装置
を含み、
ユーザが該制御装置を通して入力を提供することによって該圧電部材の形態を選択的に調節することを可能にするように、該制御装置が構成されており、
該圧電部材が、該制御装置によって提供される該入力に応答して、該ゴルフクラブヘッドボディに第一の属性を提供するための第一の形態を有することができ、該第一の属性とは異なる第二の属性を該ボディに提供するための第二の形態を有することができる、
ゴルフクラブであって、
ゴルフクラブヘッドが打球面中に複数の溝を含み、
第一および第二の属性が、該複数の溝のうち一つまたは複数の溝の容積であり、
圧電部材が複数の圧電部材を含み、そのそれぞれが該打球面中の該複数の溝のうちある溝の中に係合しており、
該圧電部材の第一の形態が、該打球面の該複数の溝の中に配置された、それぞれが第一のサイズを有する複数の圧電部材を含み、かつ該圧電部材の第二の形態が、該打球面の該複数の溝の中に配置された、それぞれが第二のサイズを有する複数の圧電部材を含む、
前記ゴルフクラブ。
【請求項２２】
ゴルフクラブヘッドボディと、
打球面と、
該ゴルフクラブヘッドボディ中の圧電部材と
を含む、ゴルフクラブヘッド、
該ゴルフクラブヘッドと係合するように構成されたシャフト、ならびに
該圧電部材に動作可能に接続された制御装置
を含む、ゴルフクラブであって、
ユーザが該制御装置を通して入力を提供することによって該圧電部材の形態を選択的に調節することを可能にするように、該制御装置が構成されており、
該圧電部材が、該制御装置によって提供される該入力に応答して、該ゴルフクラブヘッドボディに第一の属性を提供するための第一の形態を有することができ、該第一の属性とは異なる第二の属性を該ボディに提供するための第二の形態を有することができ、
第一および第二の属性がゴルフクラブヘッドのロフト角であり、
圧電部材が、該ゴルフクラブヘッドの打球面の実質的に背後に延びるように構成されたプレートを含み、該圧電部材の第一の形態が、第一のサイズを有する圧電部材を含み、かつ該圧電部材の第二の形態が、第二のサイズを有する圧電部材を含み、
該圧電部材の該第一の形態が、その第一端における第一の厚さおよびその第二端における第二の厚さを有する圧電部材を含み、そのため該圧電部材が、該第二端から該第一端に向かう第一の角度を示し、かつ該圧電部材の該第二の形態が、該第二端から該第一端に向かう、該第一の角度とは異なる第二の角度を示す圧電部材を含み、これにより、ゴルフクラブヘッドのロフト角が変化する、
前記ゴルフクラブ。
【請求項２３】
ゴルフクラブヘッドボディと、
打球面と、
該ゴルフクラブヘッドボディ中の圧電部材と
を含む、ゴルフクラブヘッド、
該ゴルフクラブヘッドと係合するように構成されたシャフト、ならびに
該圧電部材に動作可能に接続された制御装置
を含む、ゴルフクラブであって、
ユーザが該制御装置を通して入力を提供することによって該圧電部材の形態を選択的に調節することを可能にするように、該制御装置が構成されており、
該圧電部材が、該制御装置によって提供される該入力に応答して、該ゴルフクラブヘッドボディに第一の属性を提供するための第一の形態を有することができ、該第一の属性とは異なる第二の属性を該ボディに提供するための第二の形態を有することができ、
ゴルフクラブヘッドが、
打球面中の複数の溝と、
該打球面中の該溝を画定する、該打球面中の複数のスラット板と
を含み、
第一および第二の属性が、該複数の溝のうち一つまたは複数の溝の角度であり、
圧電部材が複数の圧電部材を含み、そのそれぞれが該打球面中の該複数のスラット板のうちあるスラット板の背後に配置されており、
該圧電部材の第一の形態が、該打球面の該複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含み、
該圧電部材の該第一の形態が、その第一端における第一の厚さおよびその第二端における第二の厚さを有する各圧電部材を含み、そのため各圧電部材が、該第二端から該第一端に向かう第一の角度を示し、かつ該圧電部材の該第二の形態が、該第二端から該第一端に向かう、該第一の角度とは異なる第二の角度を示す各圧電部材を含む、
前記ゴルフクラブ。
【請求項２４】
ゴルフクラブヘッドボディと、
打球面と、
該ゴルフクラブヘッドボディ中の圧電部材と
を含む、ゴルフクラブヘッド、
該ゴルフクラブヘッドと係合するように構成されたシャフト、ならびに
該圧電部材に動作可能に接続された制御装置
を含む、ゴルフクラブであって、
ユーザが該制御装置を通して入力を提供することによって該圧電部材の形態を選択的に調節することを可能にするように、該制御装置が構成されており、
該圧電部材が、該制御装置によって提供される該入力に応答して、該ゴルフクラブヘッドボディに第一の属性を提供するための第一の形態を有することができ、該第一の属性とは異なる第二の属性を該ボディに提供するための第二の形態を有することができ、
ゴルフクラブヘッドが、
打球面中の複数の溝と、
該打球面中の該溝を画定する、該打球面中の複数のスラット板と
を含み、
第一および第二の属性が、該複数の溝のうち一つまたは複数の溝の容積であり、
圧電部材が複数の圧電部材を含み、そのそれぞれが該打球面中の該複数のスラット板のうちあるスラット板の背後に配置されており、
該圧電部材の第一の形態が、該打球面の該複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含み、
該圧電部材の該第二の形態が、該第一の形態の該打球面の面を越えて延びる該打球面のスラット板を含む、
前記ゴルフクラブ。
【請求項２５】
アイアンタイプゴルフクラブである、請求項21記載のゴルフクラブ。
【請求項２６】
ウッドタイプゴルフクラブである、請求項21記載のゴルフクラブ。
【請求項２７】
パターである、請求項21記載のゴルフクラブ。
【請求項２８】
制御装置が、電圧を圧電部材に印加して該圧電部材の形態を変化させるように構成されている、請求項21記載のゴルフクラブ。
【請求項２９】
圧電部材に印加される電圧が選択的に調節されることを可能にするように、制御装置が構成されている、請求項28記載のゴルフクラブ。
【請求項３０】
制御装置がゴルフクラブのシャフトと係合している、請求項29記載のゴルフクラブ。
【請求項３１】
制御装置が、ゴルフクラブのシャフトと係合したノブを含み、該ノブが、圧電部材に印加される電圧を調節するために回されるように構成されている、請求項30記載のゴルフクラブ。
【請求項３２】
ゴルフクラブヘッドボディと、
打球面中の複数の溝を含む、打球面と、
そのそれぞれが該打球面中の該複数の溝のうちある溝の中に配置されている複数の圧電部材と
を含み、
該圧電部材が、該圧電部材に動作可能に接続された制御装置を通して提供される入力によって該打球面中の該溝の中の容積を選択的に調節するように構成されており、
該入力が、電圧を該圧電部材に印加するように構成されており、該電圧が、該圧電部材の形態を、少なくとも、電圧が印加されないときの第一のサイズと、電圧が印加されるときの第二のサイズとの間で変化させる、
ゴルフクラブヘッド。
【請求項３３】
ゴルフクラブヘッドボディと、
打球面と、
打球面の背後にある空洞と、
該ゴルフクラブヘッドボディ中の圧電部材と
を含み、
該圧電部材が、ゴルフクラブヘッドの該打球面の実質的に背後に延びるように構成されたプレートを含み、
該圧電部材が、該圧電部材に動作可能に接続された制御装置を通して提供される入力によって該打球面の背後の内部応力を選択的に調節するように構成されており、
該入力が、電圧を該圧電部材に印加するように構成されており、該電圧が、該圧電部材の形態を、少なくとも、電圧が印加されないときの第一のサイズと、電圧が印加されるときの第二のサイズとの間で変化させ、
電圧が印加されたとき、または電圧が印加されないときのいずれかに、該圧電部材が該空洞に侵入して該空洞を満たす、
ゴルフクラブヘッド。
【請求項３４】
ゴルフクラブヘッドボディと、
打球面と、
該ゴルフクラブヘッドボディ中の圧電部材と
を含み、
該圧電部材が、ゴルフクラブヘッドの該打球面の実質的に背後に延びるように構成されたプレートを含み、その第一端における第一の厚さおよびその第二端における第二の厚さを有し、そのため該圧電部材が、該第二端から該第一端に向かう角度を示し、
該圧電部材が、該圧電部材に動作可能に接続された制御装置を通して提供される入力によって該ゴルフクラブヘッドのロフト角を選択的に調節するように構成されており、
該入力が、電圧を該圧電部材に印加するように構成されており、該電圧が、該圧電部材の形態を、少なくとも、電圧が印加されないときの第一のサイズおよび第一の角度と、電圧が印加されるときの、該第一のサイズよりも大きい第二のサイズおよび第二の角度との間で変化させる、
ゴルフクラブヘッド。
【請求項３５】
ゴルフクラブヘッドボディと、
打球面中の複数の溝および打球面中の該溝を画定する打球面中の複数のスラット板を含む、打球面と、
そのそれぞれが該打球面中の該複数のスラット板のうちあるスラット板の背後に配置された複数の圧電部材と
を含み、
該圧電部材が、該圧電部材に動作可能に接続された制御装置を通して提供される入力によって該打球面中の該溝の角度を選択的に調節するように構成されており、
該入力が、電圧を該圧電部材に印加するように構成されており、該電圧が、該圧電部材の形態を、少なくとも、電圧が印加されないときの第一のサイズおよび第一の角度と、電圧が印加されるときの、該第一のサイズよりも大きい第二のサイズおよび第二の角度との間で変化させる、
ゴルフクラブヘッド。
【請求項３６】
ゴルフクラブヘッドボディと、
打球面中の複数の溝および打球面中の該溝を画定する打球面中の複数のスラット板を含む、打球面と、
そのそれぞれが該打球面中の該複数のスラット板のうちあるスラット板の背後に配置された複数の圧電部材と
を含み、
該圧電部材が、該圧電部材に動作可能に接続された制御装置を通して提供される入力によって該打球面中の該溝の容積を選択的に調節するように構成されており、
該入力が、電圧を該圧電部材に印加するように構成されており、該電圧が、該圧電部材の形態を、少なくとも、電圧が印加されないときの第一のサイズと、電圧が印加されるときの第二のサイズとの間で変化させる、
ゴルフクラブヘッド。
【発明の詳細な説明】
【技術分野】
【０００１】
関連出願の相互参照
本出願は、その開示が参照により明示的に本明細書に組み入れられる2011年7月15日出願の米国特許非仮出願第13/184,108号の優先権を主張する。
【０００２】
発明の分野
本開示はゴルフクラブおよびゴルフクラブヘッドに関する。本発明の特定の例示的局面は、圧電材料を使用する調節可能な打球サーフェスを含む調節可能な特徴を有するゴルフクラブおよびゴルフクラブヘッドに関する。
【背景技術】
【０００３】
背景
ゴルフのゲームは幅広い人気を獲得し続けている。ゴルフは、多種多様なプレーヤ、すなわち異なる性別ならびに劇的に異なる年齢および／または技術レベルのプレーヤによって楽しまれている。ゴルフは、そのような多様なプレーヤの集まりがゴルフイベントで互いに直接競いながら一緒にプレーし（たとえば、ハンデ付きのスコア、異なるティーボックスを使用して、チームフォーマットで、など）、なおもゴルフの試合または競技を楽しむことができるという点で、スポーツ界ではいくぶんユニークである。これらの要因が、テレビにおけるゴルフ番組（たとえばゴルフトーナメント、ゴルフニュース、ゴルフ史および／または他のゴルフ番組）の増加および著名なゴルフスーパースターの出現と相まって、少なくとも部分的に、近年、米国および世界中でのゴルフ人気を高めた。
【０００４】
ゴルファーは、すべての技術レベルにおいて、パフォーマンスを改善し、ゴルフスコアを良くし、その次のパフォーマンス「レベル」に到達しようとする。すべてのタイプのゴルフ用具の製造者はこれらの要求に応え、近年、業界は、ゴルフ用具における劇的な変化および改良を目撃した。たとえば、今や、広い範囲の様々なゴルフボールモデルが利用可能であり、ボールは、特定のスイング速度および／または他のプレーヤ特性もしくは好みを補うように設計されている。たとえば、一部のボールは、より遠くおよび／またはよりまっすぐに飛ぶように設計されており、一部のボールは、より高いまたはよりフラットな弾道を提供するように設計されており、一部のボールは、より多くのスピン、コントロールおよび／または感触を提供する（特にグリーン周りで）ように設計されており、一部のボールは、より速いまたはより遅いスイング速度のために設計されている、などである。また、ゴルフスコアを減らすのに役立つことを約束する数多くのスイング補助具および／または教具が市販されている。
【０００５】
プレー中にゴルフボールを動かす唯一の道具であることから、ゴルフクラブもまた、近年、多大な技術的研究および進歩の対象であった。ゴルフクラブに対する技術的進歩が、ゴルファーのための改善されたパフォーマンスを提供した。そのような進歩は、ゴルフクラブシャフトおよびゴルフクラブヘッドの両方に関する新たな特徴を含む。たとえば、市場は、近年、パター設計、ゴルフクラブヘッド設計、シャフトおよびグリップにおける劇的な変化および改良を見てきた。たとえば、ゴルフクラブヘッドは、ゴルファーがゴルフクラブの特性をゴルファー自身の特定のスイング傾向または特定のタイプのゴルフショットに合わせて調節することを可能にする様々な構造を備えることができる。さらに、ゴルフクラブの様々な要素および／または特性ならびにゴルフボールの特性を特定のユーザのスイング特徴または特性により良く適合させようと努力して、他の技術的進歩が達成されてきた（たとえばクラブフィッティング技術、ボール打ち出し角計測技術、ボールスピン速度など）。
【０００６】
近年、業界は、ゴルフ用具における劇的な変化および改良を目撃したが、当技術分野においては、ゴルフクラブ技術におけるさらなる進歩の余地がある。たとえば、従来技術のゴルフクラブおよびゴルフクラブヘッドは多数の有利な特徴を提供するが、それにもかかわらず、特定の制限をかかえている。たとえば、ゴルファーは、特定の調節可能性特徴が実現しづらいことを見いだし、一部のゴルファーはなおも、ゴルフクラブの調節可能性をより微細に調整する能力を求めている。本開示の局面は、それらの制限のいくつかおよび従来技術の他の欠点を解消し、これまで利用できなかった新たな特徴を提供しようとする。
【発明の概要】
【０００７】
本開示の局面は、ゴルフクラブヘッドボディと、打球面と、ゴルフクラブヘッド中の圧電部材とを含むゴルフクラブヘッドに関してもよく、圧電部材に動作可能に接続された制御装置を通して提供される入力によって、圧電部材が選択的に調節されるように構成されている。さらに、圧電部材は、制御装置によって提供される入力に応答して、ゴルフクラブヘッドボディに第一の属性を提供するための第一の形態を有することができてもよく、かつ、ボディに第二の属性を提供するための第二の形態を有することができてもよい。さらに、第二の属性は第一の属性とは異なってもよい。
【０００８】
さらに、本開示の局面は、ゴルフクラブヘッドボディと、打球面と、ゴルフクラブヘッドボディ中の圧電部材とを有するゴルフクラブヘッドを含んでもよいゴルフクラブに関してもよい。さらに、ゴルフクラブは、ゴルフクラブヘッドと係合するように構成されたシャフトと、圧電部材に動作可能に接続された制御装置とを含んでもよい。加えて、制御装置は、ユーザが制御装置を通して入力を提供することによって圧電部材の形態を選択的に調節することを可能にするように構成されてもよい。また、圧電部材は、制御装置によって提供される入力に応答して、ゴルフクラブヘッドボディに第一の属性を提供するための第一の形態を有することができてもよく、かつ第一の属性とは異なる第二の属性をボディに提供するための第二の形態を有することができてもよい。
【０００９】
本開示のさらなる局面は、上記タイプのゴルフクラブおよびゴルフクラブヘッドを製造する方法に関してもよい。
[本発明1001]
ゴルフクラブヘッドボディと、
打球面と、
ゴルフクラブヘッド中の圧電部材と
を含み、
該圧電部材が、該圧電部材に動作可能に接続された制御装置を通して提供される入力によって選択的に調節されるように構成されており、
該圧電部材が、該制御装置によって提供される該入力に応答して、該ゴルフクラブヘッドボディに第一の属性を提供するための第一の形態を有することができ、かつ該第一の属性とは異なる第二の属性を該ボディに提供するための第二の形態を有することができる、
ゴルフクラブヘッド。
[本発明1002]
属性がゴルフクラブヘッドの機械的または物理的性質である、本発明1001のゴルフクラブヘッド。
[本発明1003]
打球面中に複数の溝を含み、
第一および第二の属性が、該複数の溝のうち一つまたは複数の溝の容積である、
本発明1001のゴルフクラブヘッド。
[本発明1004]
圧電部材が複数の圧電部材を含み、そのそれぞれが打球面中の複数の溝の各溝の中に配置されている、本発明1003のゴルフクラブヘッド。
[本発明1005]
圧電部材の第一の形態が、打球面の複数の溝の中に配置された、それぞれが第一のサイズを有する複数の圧電部材を含み、かつ該圧電部材の第二の形態が、該打球面の該複数の溝の中に配置された、それぞれが第二のサイズを有する複数の圧電部材を含む、本発明1004のゴルフクラブヘッド。
[本発明1006]
圧電部材が、ゴルフクラブヘッドの打球面の実質的に背後に延びるように構成されたプレートを含み、該圧電部材の第一の形態が、第一のサイズを有する圧電部材を含み、かつ該圧電部材の第二の形態が、第二のサイズを有する圧電部材を含む、本発明1001のゴルフクラブヘッド。
[本発明1007]
圧電部材の第一の形態が、ゴルフクラブヘッドの打球面の背後で第一の内部応力を提供し、かつ該圧電部材の第二の形態が、該ゴルフクラブヘッドの該打球面の背後で、該第一の内部応力とは異なる第二の内部応力を提供する、本発明1006のゴルフクラブヘッド。
[本発明1008]
圧電部材の第一の形態が、その第一端における第一の厚さおよびその第二端における第二の厚さを有する圧電部材を含み、そのため該圧電部材が、該第二端から該第一端に向かう第一の角度を示し、かつ該圧電部材の第二の形態が、該第二端から該第一端に向かう、該第一の角度とは異なる第二の角度を示す圧電部材を含む、本発明1006のゴルフクラブヘッド。
[本発明1009]
第一および第二の属性がゴルフクラブヘッドのロフト角である、本発明1008のゴルフクラブヘッド。
[本発明1010]
打球面中の複数の溝と、
該打球面中の該溝を画定する、該打球面中の複数のスラット板と
を含み、
第一および第二の属性が、該複数の溝のうち一つまたは複数の溝の角度である、
本発明1001のゴルフクラブヘッド。
[本発明1011]
圧電部材が複数の圧電部材を含み、そのそれぞれが打球面の複数のスラット板のうちあるスラット板の背後に配置されている、本発明1010のゴルフクラブヘッド。
[本発明1012]
圧電部材の第一の形態が、打球面の複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含む、本発明1011のゴルフクラブヘッド。
[本発明1013]
圧電部材の第一の形態が、その第一端における第一の厚さおよびその第二端における第二の厚さを有する各圧電部材を含み、そのため各圧電部材が、該第二端から該第一端に向かう第一の角度を示し、かつ該圧電部材の第二の形態が、該第二端から該第一端に向かう、該第一の角度とは異なる第二の角度を示す各圧電部材を含む、本発明1012のゴルフクラブヘッド。
[本発明1014]
打球面中の複数の溝と、
該打球面中の該溝を画定する、該打球面中の複数のスラット板と
を含み、
第一および第二の属性が、該複数の溝のうち一つまたは複数の溝の容積である、
本発明1001のゴルフクラブヘッド。
[本発明1015]
圧電部材が複数の圧電部材を含み、そのそれぞれが打球面中の複数のスラット板のうちあるスラット板の背後に配置されている、本発明1014のゴルフクラブヘッド。
[本発明1016]
圧電部材の第一の形態が、打球面の複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含む、本発明1015のゴルフクラブヘッド。
[本発明1017]
圧電部材の第二の形態が、第一の形態の打球面の面を越えて延びる打球面のスラット板を含む、本発明1015のゴルフクラブヘッド。
[本発明1018]
アイアンタイプゴルフクラブヘッドである、本発明1001のゴルフクラブヘッド。
[本発明1019]
ウッドタイプゴルフクラブヘッドである、本発明1001のゴルフクラブヘッド。
[本発明1020]
パターヘッドである、本発明1001のゴルフクラブヘッド。
[本発明1021]
制御装置が、電圧を圧電部材に印加して該圧電部材の形態を変化させるように構成されている、本発明1001のゴルフクラブヘッド。
[本発明1022]
圧電部材に印加される電圧が選択的に調節されることが可能であるように、制御装置が構成されている、本発明1021のゴルフクラブヘッド。
[本発明1023]
ゴルフクラブヘッドボディと、
打球面と、
該ゴルフクラブヘッドボディ中の圧電部材と
を含む、ゴルフクラブヘッド、
該ゴルフクラブヘッドと係合するように構成されたシャフト、ならびに
該圧電部材に動作可能に接続された制御装置
を含み、
ユーザが該制御装置を通して入力を提供することによって該圧電部材の形態を選択的に調節することを可能にするように、該制御装置が構成されており、
該圧電部材が、該制御装置によって提供される該入力に応答して、該ゴルフクラブヘッドボディに第一の属性を提供するための第一の形態を有することができ、該第一の属性とは異なる第二の属性を該ボディに提供するための第二の形態を有することができる、
ゴルフクラブ。
[本発明1024]
ゴルフクラブヘッドが打球面中に複数の溝を含み、
第一および第二の属性が、該複数の溝のうち一つまたは複数の溝の容積であり、
圧電部材が複数の圧電部材を含み、そのそれぞれが該打球面中の該複数の溝のうちある溝の中に係合しており、
該圧電部材の第一の形態が、該打球面の該複数の溝の中に配置された、それぞれが第一のサイズを有する複数の圧電部材を含み、かつ該圧電部材の第二の形態が、該打球面の該複数の溝の中に配置された、それぞれが第二のサイズを有する複数の圧電部材を含む、本発明1023のゴルフクラブ。
[本発明1025]
圧電部材が、ゴルフクラブヘッドの打球面の実質的に背後に延びるように構成されたプレートを含み、該圧電部材の第一の形態が、第一のサイズを有する圧電部材を含み、かつ該圧電部材の第二の形態が、第二のサイズを有する圧電部材を含み、
該圧電部材の該第一の形態が、該ゴルフクラブヘッドの該打球面の背後で第一の内部応力を提供し、かつ該圧電部材の該第二の形態が、該ゴルフクラブヘッドの該打球面の背後で、該第一の内部応力とは異なる第二の内部応力を提供する、
本発明1023のゴルフクラブ。
[本発明1026]
第一および第二の属性がゴルフクラブヘッドのロフト角であり、
圧電部材が、該ゴルフクラブヘッドの打球面の実質的に背後に延びるように構成されたプレートを含み、該圧電部材の第一の形態が、第一のサイズを有する圧電部材を含み、かつ該圧電部材の第二の形態が、第二のサイズを有する圧電部材を含み、
該圧電部材の該第一の形態が、その第一端における第一の厚さおよびその第二端における第二の厚さを有する圧電部材を含み、そのため該圧電部材が、該第二端から該第一端に向かう第一の角度を示し、かつ該圧電部材の該第二の形態が、該第二端から該第一端に向かう、該第一の角度とは異なる第二の角度を示す圧電部材を含む、
本発明1023のゴルフクラブ。
[本発明1027]
ゴルフクラブヘッドが、
打球面中の複数の溝と、
該打球面中の該溝を画定する、該打球面中の複数のスラット板と
を含み、
第一および第二の属性が、該複数の溝のうち一つまたは複数の溝の角度であり、
圧電部材が複数の圧電部材を含み、そのそれぞれが該打球面中の該複数のスラット板のうちあるスラット板の背後に配置されており、
該圧電部材の第一の形態が、該打球面の該複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含み、
該圧電部材の該第一の形態が、その第一端における第一の厚さおよびその第二端における第二の厚さを有する各圧電部材を含み、そのため各圧電部材が、該第二端から該第一端に向かう第一の角度を示し、かつ該圧電部材の該第二の形態が、該第二端から該第一端に向かう、該第一の角度とは異なる第二の角度を示す各圧電部材を含む、
本発明1023のゴルフクラブ。
[本発明1028]
ゴルフクラブヘッドが、
打球面中の複数の溝と、
該打球面中の該溝を画定する、該打球面中の複数のスラット板と
を含み、
第一および第二の属性が、該複数の溝のうち一つまたは複数の溝の容積であり、
圧電部材が複数の圧電部材を含み、そのそれぞれが該打球面中の該複数のスラット板のうちあるスラット板の背後に配置されており、
該圧電部材の第一の形態が、該打球面の該複数のスラット板の背後に配置された、それぞれが第一のサイズを有する複数の圧電部材を含み、かつ該圧電部材の第二の形態が、該打球面の該複数のスラット板の背後に配置された、それぞれが第二のサイズを有する複数の圧電部材を含み、
該圧電部材の該第二の形態が、該第一の形態の該打球面の面を越えて延びる該打球面のスラット板を含む、
本発明1023のゴルフクラブ。
[本発明1029]
アイアンタイプゴルフクラブである、本発明1023のゴルフクラブ。
[本発明1030]
ウッドタイプゴルフクラブである、本発明1023のゴルフクラブ。
[本発明1031]
パターである、本発明1023のゴルフクラブ。
[本発明1032]
制御装置が、電圧を圧電部材に印加して該圧電部材の形態を変化させるように構成されている、本発明1023のゴルフクラブ。
[本発明1033]
圧電部材に印加される電圧が選択的に調節されることを可能にするように、制御装置が構成されている、本発明1032のゴルフクラブ。
[本発明1034]
制御装置がゴルフクラブのシャフトと係合している、本発明1033のゴルフクラブ。
[本発明1035]
制御装置が、ゴルフクラブのシャフトと係合したノブを含み、該ノブが、圧電部材に印加される電圧を調節するために回されるように構成されている、本発明1035のゴルフクラブ。
[本発明1036]
ゴルフクラブヘッドボディと、
打球面中の複数の溝を含む、打球面と、
そのそれぞれが該打球面中の該複数の溝のうちある溝の中に配置されている複数の圧電部材と
を含み、
該圧電部材が、該圧電部材に動作可能に接続された制御装置を通して提供される入力によって該打球面中の該溝の中の容積を選択的に調節するように構成されており、
該入力が、電圧を該圧電部材に印加するように構成されており、該電圧が、該圧電部材の形態を、少なくとも、電圧が印加されないときの第一のサイズと、電圧が印加されるときの第二のサイズとの間で変化させる、
ゴルフクラブヘッド。
[本発明1037]
ゴルフクラブヘッドボディと、
打球面と、
該ゴルフクラブヘッドボディ中の圧電部材と
を含み、
該圧電部材が、ゴルフクラブヘッドの該打球面の実質的に背後に延びるように構成されたプレートを含み、
該圧電部材が、該圧電部材に動作可能に接続された制御装置を通して提供される入力によって該打球面の背後の内部応力を選択的に調節するように構成されており、
該入力が、電圧を該圧電部材に印加するように構成されており、該電圧が、該圧電部材の形態を、少なくとも、電圧が印加されないときの第一のサイズと、電圧が印加されるときの第二のサイズとの間で変化させる、
ゴルフクラブヘッド。
[本発明1038]
ゴルフクラブヘッドボディと、
打球面と、
該ゴルフクラブヘッドボディ中の圧電部材と
を含み、
該圧電部材が、ゴルフクラブヘッドの該打球面の実質的に背後に延びるように構成されたプレートを含み、その第一端における第一の厚さおよびその第二端における第二の厚さを有し、そのため該圧電部材が、該第二端から該第一端に向かう角度を示し、
該圧電部材が、該圧電部材に動作可能に接続された制御装置を通して提供される入力によって該ゴルフクラブヘッドのロフト角を選択的に調節するように構成されており、
該入力が、電圧を該圧電部材に印加するように構成されており、該電圧が、該圧電部材の形態を、少なくとも、電圧が印加されないときの第一のサイズおよび第一の角度と、電圧が印加されるときの、該第一のサイズよりも大きい第二のサイズおよび第二の角度との間で変化させる、
ゴルフクラブヘッド。
[本発明1039]
ゴルフクラブヘッドボディと、
打球面中の複数の溝および打球面中の該溝を画定する打球面中の複数のスラット板を含む、打球面と、
そのそれぞれが該打球面中の該複数のスラット板のうちあるスラット板の背後に配置された複数の圧電部材と
を含み、
該圧電部材が、該圧電部材に動作可能に接続された制御装置を通して提供される入力によって該打球面中の該溝の角度を選択的に調節するように構成されており、
該入力が、電圧を該圧電部材に印加するように構成されており、該電圧が、該圧電部材の形態を、少なくとも、電圧が印加されないときの第一のサイズおよび第一の角度と、電圧が印加されるときの、該第一のサイズよりも大きい第二のサイズおよび第二の角度との間で変化させる、
ゴルフクラブヘッド。
[本発明1040]
ゴルフクラブヘッドボディと、
打球面中の複数の溝および打球面中の該溝を画定する打球面中の複数のスラット板を含む、打球面と、
そのそれぞれが該打球面中の該複数のスラット板のうちあるスラット板の背後に配置された複数の圧電部材と
を含み、
該圧電部材が、該圧電部材に動作可能に接続された制御装置を通して提供される入力によって該打球面中の該溝の容積を選択的に調節するように構成されており、
該入力が、電圧を該圧電部材に印加するように構成されており、該電圧が、該圧電部材の形態を、少なくとも、電圧が印加されないときの第一のサイズと、電圧が印加されるときの第二のサイズとの間で変化させる、
ゴルフクラブヘッド。
【図面の簡単な説明】
【００１０】
本発明は例として説明され、かつ添付図面に限定されない。全図を通して同様な参照番号が類似要素を示す。
【００１１】
【図１】本開示の例示的なゴルフクラブヘッドを有する例示的なゴルフクラブの部分前方斜視図である。
【図２】従来技術のゴルフクラブヘッドの、ヘッドの一部を断面で示す側面図である。
【図３】図1に示すゴルフクラブの前方斜視図である。
【図４Ａ】図1に示す4−4線から見たゴルフクラブヘッドボディの部分断面図である。
【図４Ｂ】図1に示すゴルフクラブヘッドボディの部分断面図である。
【図４Ｃ】本開示の態様のゴルフクラブヘッドボディの部分断面図である。
【図５】図5Aは、第一の位置にある圧電部材を示す、図4Aに示すゴルフクラブヘッドボディの拡大部分断面図である。図5Bは、第二の位置にある圧電部材を示す、図5Aに示すゴルフクラブヘッドボディの別の拡大部分断面図である。
【図６Ａ】圧電部材を有する本開示のゴルフクラブヘッドの代替態様の断面図である。
【図６Ｂ】圧電部材を有する本開示のゴルフクラブヘッドの代替態様の断面図である。
【図７】第一の位置にある圧電部材を示す、本開示のゴルフクラブヘッドの代替態様の断面図である。
【図８】第二の位置にある圧電部材を示す、図7に示すゴルフクラブヘッドの別の断面図である。
【図９】第一の位置にある圧電部材を示す、本開示のゴルフクラブヘッドの代替態様の拡大部分断面図である。
【図１０】第二の位置にある圧電部材を示す、図9に示すゴルフクラブヘッドの別の拡大部分断面図である。
【図１１】第一の位置にある圧電部材を示す、本開示のゴルフクラブヘッドの代替態様の拡大部分断面図である。
【図１２】第二の位置にある圧電部材を示す、図11に示すゴルフクラブヘッドの別の拡大部分断面図である。
【図１３】図3に示すゴルフクラブと対応したアクティブ化システムの部分断面図である。
【図１４】本開示のゴルフクラブヘッドの代替態様の断面図である。
【発明を実施するための形態】
【００１２】
詳細な説明
以下の詳細な説明および添付図面が本開示のゴルフクラブヘッドおよびゴルフクラブ（たとえばアイアンまたはアイアンタイプハイブリッドゴルフクラブおよびゴルフクラブヘッド）の特徴を開示する。
【００１３】
I. 本発明の例示的なゴルフクラブヘッド、ゴルフクラブおよび方法の概説
本開示の局面はアイアンタイプゴルフクラブヘッドに関する。本開示の少なくともいくつかの例示的局面のアイアンタイプゴルフクラブヘッドは、（a）アイアンタイプゴルフクラブヘッドボディと、（b）打球面と、（c）アイアンタイプゴルフクラブヘッドボディ中の少なくとも一つの圧電要素とを含んでもよい。本開示の局面にしたがって、アイアンタイプゴルフクラブヘッド中の一つまたは複数の圧電要素は、アイアンタイプゴルフクラブヘッドの属性、特性または性質を選択的に調節するように構成されてもよい。たとえば、本開示の局面にしたがって、アイアンタイプゴルフクラブヘッド中の一つまたは複数の圧電要素のサイズ、形状、配置などは、アイアンタイプゴルフクラブヘッド中の溝の形態（たとえば溝の深さ、容積、形状、角度など）、アイアンタイプゴルフクラブヘッドの剛性または減衰能力、ゴルフクラブヘッドのアイアンタイプゴルフクラブヘッドのロフトなどを含む、アイアンタイプゴルフクラブヘッドの様々な属性を選択的に制御するように構成されてもよい。
【００１４】
本開示のさらなる局面は、たとえば、上記および下記のタイプのアイアンタイプゴルフクラブヘッドを含むアイアンタイプゴルフクラブに関する。そのようなアイアンタイプゴルフクラブはさらに、クラブヘッドに取り付けられたシャフト（場合によっては、別個のホーゼルまたはクラブヘッドおよび／またはシャフトの一つまたは複数の一部として提供されたホーゼルを介して）、シャフトに取り付けられたグリップまたは取っ手などの一つまたは複数を含んでもよい。
【００１５】
本開示のなおさらなる局面は、本開示の例のアイアンタイプゴルフクラブヘッドおよびアイアンタイプゴルフクラブを製造する方法に関する。そのような方法は、たとえば、（a）上記および下記の様々なタイプのアイアンタイプゴルフクラブヘッド（上記様々な構造、特徴および／または配設のいずれかまたはすべてを含む）を、たとえば、アイアンタイプゴルフクラブヘッドを製造または他のやり方で構成すること、第三者供給源から得ることなどによって提供する工程、（b）シャフトをゴルフクラブヘッドと係合させる工程、および（c）グリップをシャフトと係合させる工程の一つまたは複数を任意の所望の順序および／または組み合わせで含んでもよい。
【００１６】
上記には、アイアンタイプゴルフクラブヘッド、アイアンタイプゴルフクラブならびにアイアンタイプゴルフクラブヘッドおよびアイアンタイプゴルフクラブを製造する方法が述べられているが、本開示の局面は、概して、ウッドタイプゴルフクラブ、ハイブリッドタイプゴルフクラブ、アイアンタイプゴルフクラブ（アイアンタイプハイブリッドクラブ、ドライビングアイアン、0〜9番アイアン、ピッチングウェッジ、サンドウェッジ、ギャップウェッジ、ロフトウェッジなどを含む）およびパターならびにそれぞれのゴルフクラブヘッドを含むが、これらに限定されない、すべてのタイプのゴルフクラブおよびゴルフクラブヘッドに関するということが留意されよう。上記に提供された開示の様々な例示的局面の概説を提供したところで、以下、本開示のゴルフクラブおよびゴルフクラブヘッド構造の様々な具体例のより詳細な説明を提供する。
【００１７】
II. 本発明の例示的なゴルフクラブヘッド、ゴルフクラブ構造および方法の詳細な説明
以下の詳細な説明および添付図面が本開示の例の様々なゴルフクラブおよびゴルフクラブヘッド構造を説明する。たとえば、以下、図1および3〜12に示す例示的なゴルフクラブ構造に関連して、本開示の局面のアイアンタイプゴルフクラブヘッドおよびゴルフクラブ構造のより具体的な例および特徴を詳細に説明する。同じ参照番号が一つより多い図面に見られる場合、その参照番号は、全体を通して本明細書および図面において同じまたは類似パーツを指すために一貫して使用されることが留意されよう。
【００１８】
図1および3は、概して、本開示の局面のアイアンタイプゴルフクラブ100およびアイアンタイプゴルフクラブヘッド102の例を示す。図3に見られるように、アイアンタイプゴルフクラブヘッド100は本開示のゴルフクラブヘッド102を含んでもよい。ゴルフクラブヘッド102に加えて、この例のゴルフクラブ構造100全体は、ホーゼル104、ホーゼル104に受けられた、および／または挿入されたシャフト106、ならびにシャフト106に取り付けられたグリップまたは取っ手107を含む。場合によっては、望むならば、ホーゼル104は除かれてもよく、シャフト106は、ゴルフクラブヘッド102に直接挿入および／または他のやり方で取り付けられてもよい（たとえば、クラブヘッド102の頂部に提供された開口に通して、内部ホーゼル（たとえば、クラブヘッド102によって画定された内部チャンバ内に提供された）に通して、など）。ホーゼル104は、クラブヘッド構造102の一部として一体に形成されてもよいし、または別個に形成され、かつそれと係合させられてもよい（たとえば、接着剤またはセメント、溶接、ろう付け、はんだ付けまたは他の融着技術によって、機械的コネクタなどによって）。本開示を逸脱することなく、従来のホーゼルおよびアイアンタイプゴルフクラブヘッド構造へのその組み込みが使用されてもよい。
【００１９】
本開示を逸脱することなく、シャフト106は、当技術分野において公知であり、かつ使用されている従来のやり方を含む任意の適当なまたは所望のやり方で、クラブヘッド102に受けられ、それと係合させられ、および／またはそれに取り付けられてもよい。より具体的な例として、シャフト106は、ホーゼル104を介してクラブヘッドボディ102と係合させられてもよいし、および／または直接、たとえば接着剤、セメント、溶接、はんだ付け、機械的コネクタ（たとえばねじ、保定要素など）などによって、クラブヘッド102中に延びるシャフト受けスリーブまたは要素を介してなど、クラブヘッド構造102と係合させられてもよい。望むならば、シャフト106は、ヘッド上で一つのシャフトと別のシャフトとの容易な交換を可能にするために、機械的コネクタを使用して解放可能なやり方でゴルフクラブヘッド102に接続されてもよい。
【００２０】
シャフト106はまた、当技術分野において公知であり、かつ使用されている従来の材料を含む任意の適当なまたは所望の材料、たとえばグラファイト系材料、複合材料または他の非金属材料、鋼材料（ステンレス鋼を含む）、アルミニウム材料、他の金属合金材料、ポリマー材料、様々な材料の組み合わせなどから作られてもよい。また、グリップまたは取っ手部材107は、当技術分野において公知であり、かつ使用されている従来のやり方を含む任意の適当なまたは所望のやり方で、たとえば、接着剤またはセメントを使用して、溶接、はんだ付け、ろう付けなどによって、機械的コネクタ（たとえばねじ、保定要素など）を介してなど、シャフト106に取り付けられ、それと係合させられ、および／またはそれから延びてもよい。別の例として、望むならば、グリップまたは取っ手107は、シャフト106と一体の1ピース構造として一体に形成されてもよい。加えて、本開示を逸脱することなく、任意の所望のグリップまたは取っ手材料、たとえばゴム材料、皮革材料、中に埋め込まれたコードまたは他の布材料を含むゴムまたは他の材料、ポリマー材料などが使用されてもよい。
【００２１】
本開示の局面はゴルフクラブヘッド102の特定の構造に関する。本開示の局面にしたがって、本開示を逸脱することなく、ゴルフクラブヘッド102は、任意の適当なまたは所望のやり方で、および／または、任意の適当なまたは所望の材料から、たとえば当技術分野において公知であり、かつ使用されている従来の材料から、および／または従来のやり方で構成されてもよい。たとえば、クラブヘッド102および／またはその様々なパーツは、鍛造、鋳造、成形によって、および／または当技術分野において慣習的であり、かつ公知である技術およびプロセスを含む他の技術およびプロセスを使用して作られてもよい。
【００２２】
図1に見られるように、ゴルフクラブヘッド102はゴルフクラブヘッドボディ108および打球面109を含んでもよい。本開示の局面にしたがって、打球面109はゴルフクラブヘッドボディ108と一体であってもよい。本開示の他の局面にしたがって、打球面109は、ゴルフクラブヘッドボディ108から切り離し可能であってもよく（たとえばフェースプレート）、そしてさらに、ゴルフクラブヘッドボディ108と係合する（たとえば、プレス嵌め、接着剤もしくはセメントを用いる接着、溶接（たとえばレーザ溶接）、はんだ付け、ろう付けまたは他の融着技術、機械的コネクタなどにより）ように構成されてもよい。さらに、本開示の局面にしたがって、ゴルフクラブヘッドボディ102は鋼で構成されてもよい。たとえば、ゴルフクラブヘッドボディ102は炭素鋼（たとえば1020または1025炭素鋼）を含んでもよい。当然、他の材料が使用されてもよい。たとえば、所望により、他の金属、合金、ポリマー、プラスチックなどまたはそれらの組み合わせが使用されてもよい。
【００２３】
さらに、本開示の局面にしたがって、ゴルフクラブヘッド102はブレードタイプアイアンゴルフクラブヘッドであってもよい。他の局面にしたがって、ゴルフクラブヘッドボディ102は、周囲加重された、および／またはキャビティバックタイプのゴルフクラブヘッドまたは他のアイアンタイプゴルフクラブヘッド構造であってもよい。たとえば、本開示の局面のゴルフクラブヘッドボディ102を含む周囲加重された、および／またはキャビティバックタイプのゴルフクラブヘッドは、打球面から後方にゴルフクラブヘッドボディの周辺区域の少なくとも一部分に沿って延びる周囲加重部材を含む、打球面109とは反対側の背面を含んでもよい。本開示の局面にしたがって、本開示を逸脱することなく、多種多様なクラブヘッド全体構成が可能である。たとえば、本開示を逸脱することなく、本開示の例のゴルフクラブヘッド102の寸法および／または他の特性が有意に異なってもよいことが留意されよう。たとえば、本開示の局面にしたがって、ゴルフクラブヘッド102は、アイアンタイプゴルフクラブ、たとえばウェッジ（たとえばピッチングウェッジ、ロブウェッジ、ギャップウェッジ、サンドウェッジなど）、0番〜10番アイアン、ドライビングアイアン、アイアンタイプハイブリッドクラブなどに使用されてもよい。
【００２４】
図1に見られるように、本開示の局面にしたがって、打球面109は、ゴルフクラブヘッド102のクラウンとソールとの間に延び、かつさらに、ゴルフクラブヘッド102のトウとヒールとの間に実質的に延びる概して台形の形状を有してもよい。当然、打球面109は他の形態を有してもよい。
【００２５】
本開示の局面にしたがって、図1および3に見られるように、打球面109は溝109aを含んでもよい。本開示の局面にしたがって、複数の溝109aが打球面109を横切って概して水平に延びてもよい。本開示の局面にしたがって、溝109aは、打球面109を部分的、実質的または完全に横切って延びてもよい。本開示の局面にしたがって、所望により、溝109aの数および／または各溝109aの寸法が異なってもよい。たとえば、本開示の局面にしたがって、溝109aは、比較的正方形または長方形の断面形状を有してもよい。または、溝109aを画定する打球面109の部分がテーパ状であって、溝109aの断面形状が、溝109aによって画定される穴がクラブヘッドボディ108に向けて延びるにつれ狭くなる「V」または「U」字形に似るようにしてもよい。溝109aは、ゴルフクラブヘッド102とゴルフボールとの衝突時（たとえばゴルフスイング中）にゴルフボールのディンプル面と相互作用し、そしてゴルフショット中のゴルフボールの空気力学に影響してもよい。たとえば、溝109aは、ゴルフショット中、ゴルフボールのスピン（たとえばバックスピン）を生じさせてもよい。
【００２６】
本開示の局面にしたがって、ゴルフクラブヘッド102は、それと対応した少なくとも一つの圧電部材120を含んでもよい。圧電部材は、圧電性を有する要素を含んでもよい。圧電性を有する要素は、機械的ひずみまたは応力が加えられたとき電圧を生成してもよいことが留意されよう。さらに、逆に、圧電性を有する要素は、電場が印加されたとき機械的に変形してもよい。たとえば、本開示の局面にしたがって、電場が圧電部材120に印加されてもよく、その電場が圧電部材120の形態（たとえばサイズまたは寸法）の変化を生じさせる。たとえば、電場が印加されたとき、圧電部材120のサイズが増大（たとえば「成長」）または減少（「縮小」）してもよい。さらに、電場が除去されたとき、圧電部材120のサイズは、その元々の形状に戻る傾向を示してもよい。さらに、電場が印加されている間に圧電部材120が変形する量（たとえば、圧電部材120がサイズを増す、または減らす量）は、その電場の強さに依存してもよい。たとえば、本開示の局面にしたがって、圧電部材120は、第一の電圧が印加されたならば第一の量だけ変形（たとえば、第一のサイズだけ増大または減少）し、および第二の、より大きな電圧が印加されたならば第二の、より大きな量だけ変形（たとえば、第二の、より大きなサイズだけ増大または減少）してもよい。
【００２７】
したがって、本開示の局面にしたがって、アイアンタイプゴルフクラブヘッドの様々な属性、特性または性質を制御し、かつ選択的に変化させるために一つまたは複数の圧電部材120がゴルフクラブヘッド102に使用されてもよい。たとえば、本開示の局面にしたがって、一つまたは複数の圧電部材120がゴルフクラブヘッド102に組み込まれてもよく、およびアイアンタイプゴルフクラブヘッドの様々な属性、特性または性質を選択的に変化させるために電場が一つまたは複数の圧電部材120に印加されてもよい。本開示の局面にしたがって、属性はゴルフクラブヘッドの機械的または物理的性質を含んでもよいことが留意されよう。たとえば、属性は、アイアンタイプゴルフクラブヘッド中の溝の形態（たとえば溝の深さ、容積、形状、角度など）、ゴルフクラブヘッドの打球面の背後の内部応力、剛性または硬さ、ゴルフクラブヘッドのロフト角などを含んでもよい。さらに、属性は、ゴルフクラブヘッドとの衝突後のゴルフボールの弾道に影響してもよい（たとえば、ゴルフクラブヘッドの打球面からのゴルフボールの離れ方に影響することにより）ことが留意されよう。たとえば、属性は、ゴルフボールのバックスピン、ゴルフボールの高く上がる飛びなどに影響することにより、ゴルフクラブヘッドとの衝突後のゴルフボールの弾道に影響してもよい。
【００２８】
本開示の局面にしたがって、圧電性を有する任意の要素を圧電部材120として使用してもよい。たとえば、本開示の局面にしたがって、圧電性を有するポリマーを圧電部材120として使用してもよい。実例として、ポリフッ化ビニリデン（PVDF）は、本開示の局面にしたがって圧電部材120として使用されてもよい、圧電性を有する要素である。
【００２９】
本開示の局面にしたがって、かつ図3に見られるように、ゴルフクラブヘッド100は、ゴルフクラブヘッド120と対応した圧電部材120をアクティブ化するための制御装置122を含んでもよい。たとえば、図3に示すように、シャフト107が、制御装置122を支持するように構成されてもよい。本開示の局面にしたがって、制御装置122は圧電部材120に動作可能に接続されてもよい。たとえば、制御装置122は、電場を電源（たとえばバッテリ）から圧電部材120に伝送する（たとえば電流を介して）ワイヤを含んでもよい。また、他の様々なタイプの導体を使用することができる。
【００３０】
本開示の局面にしたがって、制御装置122は、圧電材料120に印加される電場を制御するために回転するように構成されてもよいスイッチ、ノブまたはダイアル124を含んでもよい。たとえば、ノブ124は、電場が生成されない第一の（たとえば「オフ」）位置から、電場が生成されて圧電材料120に印加される第二の（たとえば「オン」）位置まで回されるように構成されてもよい。本開示の局面にしたがって、電場が生成されて圧電材料120に印加されると、上述したように、圧電部材120のサイズが増大または減少してもよい。逆に、ノブ124がオフ位置に戻されて電場が除去されると、上述したように、圧電部材120のサイズはその元々のサイズまで減少または増大してもよい。
【００３１】
さらに、本開示の局面にしたがって、制御装置122は、圧電材料120に印加される電場の強さ（たとえば電圧の量）を変化させるように構成されてもよい。たとえば、本開示の局面にしたがって、ノブ124は、様々な位置の間で回転するように構成されてもよく、それらの位置が順次電場の強さを増大または減少させる。たとえば、ノブ124を回転させてもよい一つの位置は1.5Vの電圧に対応してもよく、ノブ124を回転させてもよい第二の位置は3.0Vの電圧に対応してもよい、などである。このようにして、ゴルファーは、圧電材料120のサイズを選択的に調節し、それにより、アイアンタイプゴルフクラブヘッドの様々な属性、特性または性質を選択的に変化させ、かつ制御してもよい。上記電圧は単なる例であり、所望により、他の電圧が印加されてもよいことが留意されよう。
【００３２】
図3に見られるように、シャフト106は、バッテリまたは他の電源を受けるように構成されたコンパートメントを含んでもよい。さらに、本開示の局面にしたがって、制御装置122は、電場を圧電材料120に印加するために、一つまたは複数の電源に接続される（たとえば、バッテリまたは電源に接続されたリードの一つまたは複数を介して）ように構成されてもよい。本開示の局面にしたがって、バッテリまたは電源へのアクセスを可能とするために（たとえば、バッテリまたは電源を挿入または交換するために）、シャフト106の一部分（たとえば取っ手107）がシャフト106の残り部分と取り外し可能に係合してもよい（たとえば、ねじまたは他の機械的コネクタを介して）。
【００３３】
本開示の局面にしたがって、圧電部材120は、ゴルファーがゴルフクラブ100を握るとき、ゴルファーの手または握りによってアクティブ化されてもよい。たとえば、本開示の局面にしたがって、ゴルフクラブ100は、ゴルファーがゴルフクラブ100を握るとき押される、または他のやり方でアクティブ化される（たとえば圧力によってアクティブ化される）ボタンまたはスイッチ（たとえば、取っ手107またはその近くに配置されたボタンまたはスイッチ）を含んでもよい。ボタンをアクティブ化することにより、電場が圧電部材120に印加されて（たとえば、シャフト106の中を通過するワイヤを介して）圧電部材120を変形（たとえば、圧電部材120のサイズを増大または減少）させてもよい。たとえば、ボタンが押されると、回路が完成してもよく、その回路を通して電場が圧電部材120に印加されてもよい。さらに、ゴルフクラブ100のそのような態様にしたがって、上記のように圧電部材120に印加される電圧を変化させるためのノブ124が組み込まれてもよいことが留意されよう。
【００３４】
または、ゴルファーが、圧電部材をアクティブ化するための回路を完成させるように設計された外部電源または他の構造を含むこともできるグローブを着用してもよい。図13は、制御装置122のような例示的態様が構成されているゴルフクラブ100の断面図を示す。図13に見られるように、本開示の局面にしたがって、ゴルフクラブ100は露出部分（たとえば、取っ手107またはその近くに配置されたスイッチ、電気リードなど）を含んでもよい。グローブは、圧電部材120をアクティブ化する回路を完成させるように働く材料を含んでもよい。たとえば、グローブは、グローブの手のひら部の外部に配置された導電性材料を含んでもよい。それにより、ゴルファーが取っ手を握ると、導電性材料が露出したリードと係合して回路を完成させ、その回路を通して電場が圧電部材120に印加されてもよい。逆に、ゴルファーが取っ手を解放すると、回路開放されてその結果、電場が圧電部材120から除去されてもよい。
【００３５】
本開示の特定の局面にしたがって、ゴルフクラブ100の代わりに（またはそれに加えて）、グローブが電源（たとえばバッテリ）を含んでもよい。たとえば、グローブがバッテリを含んでもよく、ゴルファーが取っ手を握り、導電性材料が露出したリードと係合し、そして回路を完成させたとき、そのバッテリを通して電場が圧電部材120に印加されてもよい。本開示の局面にしたがって、回路を完成させ、そして電場を圧電部材120に印加するために、バッテリがリードと接触していてもよい。または、バッテリは、グローブの外部に配置されたワイヤまたは他の導電性材料と接触してもよく、そのワイヤまたは他の導電性材料が、回路を完成させ、そして電場を圧電部材120に印加するために、他方でリードと接触する。
【００３６】
図4A、4B、4C、5Aおよび5Bは、本開示の局面のゴルフクラブヘッド102の例示的態様の様々な図を示す。本開示の局面にしたがって、かつ図1、3、4A、4B、4C、5Aおよび5Bに示す態様に示すように、圧電材料は、ゴルフクラブヘッド102の溝109aの深さを制御するようにゴルフクラブヘッド102内に構成されてもよい。したがって、以下に述べるように、本開示の局面にしたがって、圧電部材120を使用して、ゴルフクラブヘッド102の溝の深さ、ひいてはゴルフクラブヘッド102によってゴルフボールに付与されるバックスピンの量ならびに打ち出し角度およびボール速度を選択的に制御し、かつ調節してもよい。
【００３７】
具体的には、図4Aは、図1に示す4−4線から見たゴルフクラブヘッドボディの部分断面図である。図4Bはゴルフクラブヘッドボディの部分断面図である。図4Cは、本開示の別の態様のゴルフクラブヘッドボディの部分断面図である。図5Aは、第一の位置にある圧電部材を示す、図4Aに示すゴルフクラブヘッドボディの拡大部分断面図である。図5Bは、第二の位置にある圧電部材を示す、図5Aに示すゴルフクラブヘッドボディの別の拡大部分断面図である。
【００３８】
例示的なゴルフクラブヘッド102の特徴を説明するために、従来のゴルフクラブヘッドの画が参考のために図2に提供されている。図2は、従来のゴルフクラブヘッドボディ1000の部分断面図である。図2に見られるように、従来のゴルフクラブヘッドは、ゴルフクラブヘッドボディを横切って水平方向（すなわちヒール−トウ方向）に延びる溝を有する。
【００３９】
図2に示す従来のゴルフクラブヘッドとは対照的に、図4Aに示す例示的なゴルフクラブヘッド102は一つまたは複数の圧電部材120を含んでもよい。たとえば、図4Aに見られるように、圧電部材120は、ゴルフクラブヘッド102の打球面109中の溝109aの中に延びるように配置されてもよい。たとえば、圧電部材120は、ゴルフクラブヘッド102の打球面109中の溝109aの長手方向に実質的または完全に延びる（たとえばヒール−トウ方向に）細片として構成されてもよい。圧電部材120は他の形態を有してもよいことが留意されよう。たとえば、圧電部材120は、打球面109（たとえばフェースプレート）に対して平行な圧電材料の連続面によって接続されてもよい。たとえば、圧電部材120を接続するために、圧電材料の連続面が圧電部材120の後部に配置されてもよい。圧電材料の連続面は、打球面109の背後の位置でゴルフクラブヘッド102のいくらかまたはすべてを通って延びてもよい。
【００４０】
上記のように、本開示の局面にしたがって、圧電部材120を変形させるために、シャフト106の中を延びるワイヤを介して電場が圧電部材120に印加されてもよい。図3および13はそのような例示的態様を示す。さらに、図4Bは、本開示の局面のそのような構造の例示的態様である。図4Bに示す断面図に見られるように、各圧電部材120がリードまたはワイヤ140に接続されてもよく、そのリードまたはワイヤを介して電場が圧電部材120に印加されてもよい。図3に示すように、リードまたはワイヤ140が取っ手107中のバッテリに接続されてもよい。たとえば、各リードまたはワイヤ140は、図3に見られるように、ゴルフクラブ100のシャフトに沿って延びるワイヤの支線であってもよい。リードまたはワイヤ140は、適当な電場が圧電部材に印加されることを可能にする様々な代替形態で用いられてもよいことが理解されよう。リードまたはワイヤ140は、電場を付与するために必要な様々な導電性部材形態をとることができることがさらに理解されよう。明瞭に示すために、圧電部材120に接続されたリードまたはワイヤ140は、本出願を通して様々な他の断面図には示されなくてもよいことが留意されよう。
【００４１】
圧電部材は、任意の実行可能な手段、たとえば接着剤、セメント、溶接、はんだ付けなどによってゴルフクラブヘッド102と係合させてもよいことが留意されよう。または、圧電部材はゴルフクラブヘッド102と一体に形成されてもよい。本開示の局面にしたがって、圧電部材はゴルフクラブヘッド102の中に注入されてもよい。たとえば、圧電材料は、そのような圧電材料を受けるように構成されているゴルフクラブヘッド102中の空洞の中に注入されてもよい。さらに、本開示の局面にしたがって、ゴルフクラブヘッド102および圧電部材は、ゴルフクラブヘッド102と圧電部材との係合が圧電部材をゴルフクラブヘッド102内に保定するように構成されてもよい。たとえば、図4Cは、本開示の局面のそのような構造の例示的態様である。図4Cに見られるように、各圧電部材120は、蟻継ぎ形状に構成されてもよい。さらに、ゴルフクラブヘッド102が、圧電部材120の蟻継ぎ形状と係合するように構成された対応する空洞を含んでもよい。それにより、ゴルフクラブヘッド102と圧電部材120とのそのような係合が圧電部材をゴルフクラブヘッド102内に保定する。圧電材料および空洞の他の構造（たとえば、圧電材料をゴルフクラブヘッド102内に保定するための他の形状）が使用されてもよいことが留意されよう。
【００４２】
図5Aは、電場が圧電部材120に印加されてないとき第一の位置（たとえば元々の状態）にある、ゴルフクラブヘッド102中の圧電部材120を示す。図5Aに見られるように、圧電部材120は、深さD1を含む第一のサイズを有する。対照的に、図5Bは、電場が圧電部材120に印加されたとき第二の位置（たとえば変形状態）にある、ゴルフクラブヘッド102中の圧電部材120を示す。図5Bに見られるように、圧電部材120は、D1よりも大きいD2の深さを含む第二のサイズを有する。したがって、ゴルフクラブヘッドの溝109aの容積は減る。したがって、本開示の局面にしたがって、ゴルフクラブヘッド102の打球面109の溝109aの中に配置された圧電部材120を操作することによって（たとえば、電場を圧電部材120に印加することによって）、ゴルフクラブヘッド102の溝109aの容積を制御（たとえば増減）してもよいことが理解されよう。
【００４３】
溝109aは、打球面109とゴルフボールとの間に生じる摩擦に影響してもよいことが留意されよう。たとえば、ゴルフスイング中、打球面109がゴルフボールと接触するとき、溝109aがゴルフボールと衝突して（たとえばグリップする、または「喰い付く」）、ゴルフボールに対して下向きの力を加える。下向きの力は、ゴルフボールが打球面109を離れるとき、ゴルフボールをバックスピンさせてもよい。溝の寸法（たとえば形状、高さ（たとえばソール−クラウン方向）、深さ（たとえばフェース−リヤ方向）など）が、ゴルフボールに加えられる摩擦の量、ひいてはゴルフショット中、ゴルフボールが打球面109を離れるときゴルフボールが有するバックスピンの量に影響してもよい。たとえば、より大きく、より深い溝は、より多くのグリップを有してもよく、また、破片（たとえば土、砂、草など）がゴルフボールと打球面との間に挟まることを防いで、それにより、溝をゴルフボールと接触させてもよい。
【００４４】
したがって、本開示の局面にしたがって、かつ図5Aを図5Bと比較することによって見られるように、ゴルフクラブヘッド102の打球面109の溝109aの中に配置された圧電部材120を操作することにより、ゴルフクラブヘッドの溝109aの容積を増大または減少させてもよく、その結果、ゴルフスイング中、ゴルフクラブヘッド102とゴルフボールとの衝突時、より多い、またはより少ないバックスピンを生じさせてもよい。さらに、図5Aおよび5Bは、圧電部材120の二つのサイズを表すが、他の電圧が他のサイズを提供してもよいことが留意されよう。たとえば、図5Aは、電圧が圧電部材120に印加されず、D1が0.5mmになるように圧電部材120が構成されている元々の状態を表してもよい。さらに、図5Bは、1.5Vが圧電部材120に印加され、D2が0.6mmになるように圧電部材120が変形している状態を表してもよい。加えて、図示されないが、本開示の局面にしたがって、より大きな電圧（たとえば3.0V）を圧電部材120に印加することもでき、圧電部材120を、深さ（たとえばD3）が0.7mmになる点までさらに変形させてもよいことが留意されよう。当然、本開示の局面にしたがって他の電圧および寸法が考えられ、所望により、使用されてもよい。
【００４５】
上記態様は、圧電部材120が、電場が印加されないときの深さD1を含む第一のサイズおよび電場が印加されるときの、D1よりも大きいD2の深さを含む第二のサイズを有する形態を参照するが、他の態様が本開示の範囲内であることが留意されよう。たとえば、本開示の他の局面にしたがって、圧電部材120は、電場が印加されないときの深さD1を含む第一のサイズ、および電場が印加されるときの、D1よりも小さいD2の深さを含む第二のサイズを有する。換言するならば、圧電部材120は、電場が印加されたとき「収縮」してもよい。したがって、ゴルフクラブヘッドの溝109aの容積は増す。
【００４６】
本開示の特定の態様にしたがって、圧電部材の深さの変化は0.1mmの範囲であってもよい。たとえば、圧電部材120の深さD1は2.0mmであってもよく、および深さD2は1.9mmであってもよい。さらに、本開示の他の特定の態様にしたがって、圧電部材の深さの変化はより小さくてもよい（たとえば、1/10mm以下の範囲）。たとえば、圧電部材120の深さD1は0.7mmであってもよく、および深さD2は0.693mmであってもよい。
【００４７】
本開示の局面にしたがって、圧電材料は、ゴルフクラブヘッドの他の属性を選択的に制御または調節するために、他の方法でゴルフクラブヘッドに組み込まれてもよい。たとえば、本開示の局面にしたがって、圧電材料は、ゴルフクラブヘッドの打球面の背後の剛性、硬さまたは内部応力を制御するためにゴルフクラブヘッド内に構成されてもよい。たとえば、図6Aは、本開示の局面のゴルフクラブヘッドボディ202の代替態様を示す。具体的には、図6Aは、本開示の局面のゴルフクラブヘッド202の例示的態様の断面図を示す。
【００４８】
図6Aに示す態様のいくつかの特徴は上記態様に類似しており、したがって、簡潔さのために、ここで詳細には説明しないことが留意されよう。しかし、本開示の局面にしたがって、かつ図6Aに示す態様に示すように、圧電材料は、ゴルフクラブヘッド202の打球面209の背後の剛性、硬さまたは内部応力を制御するためにゴルフクラブヘッド202内に構成されてもよいことが留意されよう。したがって、以下に述べるように、本開示の局面にしたがって、圧電材料は、ゴルフショット中のゴルフクラブヘッド202の減衰効果を選択的に制御し、かつ調節するために使用されてもよい。
【００４９】
図6Aに示す例示的態様に見られるように、本開示の局面にしたがって、ゴルフクラブヘッド202は、打球面209の背後に延びる圧電部材220を含んでもよい。たとえば、図6Aに見られるように、圧電部材220は、シートまたはプレートとして構成され、かつゴルフクラブヘッド202の打球面209の実質的または完全に背後に延びるように配置されてもよい。当然、望むならば、圧電部材220は、打球面209の一部分または別々の部分の背後（たとえば、打球面209のスイートスポットの背後）に延びるように構成され、かつ配置されてもよい。本開示の局面にしたがって、圧電部材220の深さまたは厚さは0.5〜0.7mmの範囲であってもよい。
【００５０】
図6Aは、電場が圧電部材220に印加されてないとき第一の位置（たとえば元々の状態）にある、ゴルフクラブヘッド202中の圧電部材220を示す。図6に見られるように、圧電部材220は第一の深さまたは厚さを有する。上記態様と同様に、電場が圧電部材220に印加されると、ゴルフクラブヘッド202中の圧電部材220は変形する。たとえば、圧電部材220は、図6Aに示す第一の状態の深さまたは厚さよりも大きい深さまたは厚さを含む第二のサイズに変形してもよい。したがって、打球面209の背後の剛性、硬さまたは内部応力は増す。したがって、本開示の局面にしたがって、ゴルフクラブヘッド202の打球面209の背後に配置された圧電部材220を操作することによって（たとえば、電場を圧電部材220に印加することによって）、打球面209の背後の剛性、硬さまたは内部応力を制御（たとえば増減）してもよいことが理解されよう。
【００５１】
打球面209の背後に圧電部材220を提供することは、衝突時に生じる潜在的振動を減衰させるゴルフクラブヘッドの能力に影響してもよい。それにより、打球面209の背後に圧電部材220を提供することは、他方で、ゴルフクラブヘッド202の「感触」を制御してもよい。たとえば、打球面209の背後の硬さまたは内部応力を増すことにより、ゴルフクラブヘッド202の減衰能力を増大させてもよい。したがって、打球面209の背後の硬さまたは内部応力を増すことはゴルフクラブヘッド202の感触を増してもよい。
【００５２】
したがって、本開示の局面にしたがって、ゴルフクラブヘッド202の打球面209の背後に配置された圧電部材220を操作することにより、打球面209の背後の剛性、硬さまたは内部応力を増大または減少させてもよく、その結果、ゴルフクラブの減衰効果を増大または減少させてもよい。さらに、第一の態様に関して上述したように、打球面209の背後の剛性、硬さまたは内部応力を望みどおり微調整するために、所望により様々な電圧が印加されてもよいことが留意されよう。
【００５３】
本開示の局面にしたがって、ゴルフクラブヘッド102は、圧電部材220が変形するとき圧電部材220が侵入してもよい空洞を含んでもよい。図6Bは、圧電部材220が変形するとき圧電部材220を受けるように構成された空洞230を含むそのような態様を示す。本出願に記載される各態様が、ゴルフクラブヘッド102中の各圧電部材220に対応する一つまたは複数の空洞を含んでもよく、圧電部材220が変形したとき、一つまたは複数の空洞がそれぞれの圧電部材220を受けるように構成されていることが留意されよう。
【００５４】
上記態様は、圧電部材220が、電場が印加されないときの第一のサイズおよび電場が印加されるときの、第一のサイズよりも大きい第二のサイズを有する形態を参照するが、他の態様が本開示の範囲内であることが留意されよう。たとえば、本開示の他の局面にしたがって、圧電部材220は、電場が印加されないときの第一のサイズおよび電場が印加されるときの、第一のサイズよりも小さい第二のサイズを有する。換言するならば、圧電部材220は、電場が印加されたとき「収縮」してもよい。したがって、打球面209の背後の剛性、硬さまたは内部応力は低下する。
【００５５】
本開示の局面にしたがって、圧電材料は、ゴルフクラブヘッドの他の属性を選択的に制御または調節するために、さらに他の方法でゴルフクラブヘッドに組み込まれてもよい。たとえば、本開示の局面にしたがって、圧電材料は、ゴルフクラブヘッドのロフトを制御するためにゴルフクラブヘッド内に構成されてもよい。たとえば、図7〜8は、本開示の局面のゴルフクラブヘッドボディ302の代替態様を示す。具体的には、図7は、圧電部材320が第一の位置にある本開示の局面のゴルフクラブヘッド302の例示的態様の断面図を示す。図8は、圧電部材320が第二の位置にある本開示の局面のゴルフクラブヘッド302の例示的態様の断面図を示す。
【００５６】
図7および8に示す態様のいくつかの特徴は上記態様に類似しており、したがって、簡潔さのために、ここで詳細には説明しないことが留意されよう。しかし、本開示の局面にしたがって、かつ図7および8に示す態様に示すように、圧電部材320は、ゴルフクラブヘッド302のロフトを選択的に制御し、かつ調節するためにゴルフクラブヘッド302内に構成されてもよいことが留意されよう。したがって、以下に述べるように、本開示の局面にしたがって、圧電部材302は、ゴルフクラブヘッドのロフトおよびゴルフショット中にゴルフクラブヘッド302が及ぼす減衰効果を含むゴルフクラブヘッド302の特徴を選択的に制御し、かつ調節するために使用されてもよい。
【００５７】
図7および8に示す例示的態様に見られるように、本開示の局面にしたがって、圧電部材320は打球面309の背後に延びてもよい。たとえば、図7および8に見られるように、圧電部材320は、シートまたはプレートとして構成され、かつゴルフクラブヘッド302の打球面309の実質的または完全に背後に延びるように配置されてもよい。当然、望むならば、圧電部材320は、打球面309の一部分または別々の部分の背後（たとえば、打球面309のスイートスポットの背後）に延びるように構成され、かつ配置されてもよい。本開示の局面にしたがって、圧電部材320の深さまたは厚さは圧電部材320の長さまたは高さとともに変化してもよい。たとえば、図7および8に見られるように、圧電部材320の厚さは、圧電部材320の下寄り部分よりも圧電部材320の上寄り部分において大きい。たとえば、圧電部材320の上寄り部分は1.0〜1.4mmの範囲の厚さを有してもよく、および圧電部材320の下寄り部分は0.5〜0.7mmの範囲の厚さを有してもよい。さらに、図7および8に見られるように、また、以下に述べるように、圧電部材320は斜めの形態を含んでもよい。
【００５８】
図7は、電場が圧電部材320に印加されてないとき第一の位置（たとえば元々の状態）にある、ゴルフクラブヘッド302中の圧電部材320を示す。図7に見られるように、圧電部材320は、角度θを含む第一の形態を有する。対照的に、図8は、電場が圧電部材320に印加されたとき第二の位置（たとえば変形状態）にある、ゴルフクラブヘッド302中の圧電部材320を示す。図8に見られるように、圧電部材320は、θよりも大きい角度θ′を含む第二の形態を有する。したがって、ゴルフクラブヘッド302のロフトの角度またはロフトを増してもよい。したがって、本開示の局面にしたがって、ゴルフクラブヘッド302の打球面309の背後に配置された圧電部材320を操作することによって（たとえば、電場を圧電部材320に印加することによって）、ゴルフクラブヘッド302のロフトを制御（たとえば増減）してもよいことが理解されよう。
【００５９】
したがって、本開示の局面にしたがって、図7を図8と比較することによって見られるように、ゴルフクラブヘッド302の打球面309の背後に配置された圧電部材320を操作することにより、ゴルフクラブヘッド302のロフトを増大または減少させてもよく、その結果、ゴルフスイング中、ゴルフクラブヘッド302とゴルフボールとの衝突時、より多い、またはより少ないロフトをゴルフボールに付与してもよい。さらに、図7および8は圧電部材320の二つの形態を表すが、他の電圧が印加されて他の角度も提供してもよいことが留意されよう。たとえば、図7は、電圧が圧電部材320に印加されず、θが15°になるように圧電部材320が構成されている元々の状態を表してもよい。さらに、図8は、1.5Vが圧電部材320に印加され、そしてθ′が16°になるように圧電部材320が変形している状態を表してもよい。加えて、図示されないが、本開示の局面にしたがって、より大きな電圧（たとえば3.0V）を圧電部材320に印加することもでき、そして圧電部材320を、角度（たとえばθ″）が17°である点までさらに変形させてもよいことが留意されよう。当然、本開示の局面にしたがって他の電圧および角度が考えられ、所望により、使用されてもよい。たとえば、本開示の局面にしたがって、角度が5°未満だけ変形してもよい。
【００６０】
上記態様は、圧電部材320が、電場が印加されないときの第一の角度θおよび電場が印加されるときの、第一の角度θよりも大きい第二の角度θ′を画定する形態を参照するが、他の態様が本開示の範囲内であることが留意されよう。たとえば、本開示の他の局面にしたがって、圧電部材320は、電場が印加されないときの第一の角度θおよび電場が印加されるときの、第一の角度θよりも小さい第二の角度θ′を画定する。換言するならば、圧電部材320は、電場が印加されたとき「収縮」して角度を減らしもよい。
【００６１】
本開示の局面にしたがって、圧電材料は、ゴルフクラブヘッドの他の属性を選択的に制御または調節するために、さらに他の方法でゴルフクラブヘッドに組み込まれてもよい。たとえば、本開示の局面にしたがって、圧電材料は、ゴルフクラブヘッドの溝の角度を制御するためにゴルフクラブヘッド内に構成されてもよい。たとえば、図9〜10は、本開示の局面のゴルフクラブヘッドボディ402の代替態様を示す。具体的には、図9は、圧電部材420が第一の位置にある本開示の局面のゴルフクラブヘッド402の例示的態様の断面図を示す。図10は、圧電部材420が第二の位置にある本開示の局面のゴルフクラブヘッド402の例示的態様の断面図を示す。
【００６２】
図9および10に示す態様のいくつかの特徴は上記態様に類似しており、したがって、簡潔さのために、ここで詳細には説明しないことが留意されよう。しかし、本開示の局面にしたがって、図9および10に示す態様に示すように、圧電部材420は、ゴルフクラブヘッド402の溝409aの角度を選択的に制御し、かつ調節するためにゴルフクラブヘッド402内に構成されてもよいことが留意されよう。したがって、以下に述べるように、本開示の局面にしたがって、圧電部材402は、ゴルフショット中にゴルフクラブヘッド402がゴルフボールに付与するスピンの量を選択的に制御し、かつ調節するために使用されてもよい。
【００６３】
図9および10に示す例示的態様に見られるように、本開示の局面にしたがって、圧電部材420は、ゴルフクラブヘッド409の打球面409の溝409aを少なくとも部分的に画定する、打球面409中の個々のスラット板409bの背後に配置されるように構成されてもよい。たとえば、図9および10に見られるように、圧電部材420は、ゴルフクラブヘッド402の打球面409中の個々のスラット板409bそれぞれの実質的または完全に背後に延びるように構成されてもよい。さらに、図9および10に見られるように、本開示の局面にしたがって、圧電部材420は、圧電部材420の深さまたは厚さが圧電部材420の高さとともに変化するように構成されてもよい。たとえば、図9および10に見られるように、圧電部材420の厚さは、各圧電部材420の下寄り部分よりも各圧電部材420の上寄り部分において大きい。たとえば、圧電部材420の上寄り部分はそれぞれ1.0〜1.4mmの範囲の厚さを有してもよく、圧電部材320それぞれの下寄り部分は0.5〜0.7mmの範囲の厚さを有してもよい。さらに、以下に述べるように、圧電部材420は斜めの形態を含んでもよい。
【００６４】
図9は、電場が圧電部材420に印加されてないときの第一の位置（たとえば元々の状態）にある、ゴルフクラブヘッド402中の圧電部材420を示す。図7に見られるように、圧電部材420は、角度θを含む第一の形態を有する。対照的に、図10は、電場が圧電部材420に印加されているときの第二の位置（たとえば変形状態）にある、ゴルフクラブヘッド402中の圧電部材420を示す。図10に見られるように、圧電部材420は、θよりも大きい角度θ′を含む第二の形態を有する。したがって、ゴルフクラブヘッド402の溝409aの角度は増す。したがって、本開示の局面にしたがって、ゴルフクラブヘッド402の打球面409のスラット板の背後に配置された圧電部材420を操作することによって（たとえば、電場を圧電部材420に印加することによって）、ゴルフクラブヘッド402の溝409aの角度を制御（たとえば増減）してもよいことが理解されよう。溝409aの角度は、ゴルフボールが打球面409を離れるときゴルフボールに付与されるバックスピンの量に影響してもよい。たとえば、より大きな傾斜角を有する溝409aは、ゴルフクラブヘッドとゴルフボールとの衝突時、より多くのバックスピンがゴルフボールに付与されるようにしてもよい。
【００６５】
したがって、本開示の局面にしたがって、かつ図9を図10と比較することによって見られるように、ゴルフクラブヘッド402の打球面409の各スラット板409bの背後に配置された圧電部材420を操作することにより、ゴルフクラブヘッド402の溝409aの角度を増大または減少させてもよく、その結果、ゴルフスイング中、ゴルフクラブヘッドとゴルフボールとの衝突時、より多い、またはより少ないバックスピンがゴルフボールに付与されてもよい。さらに、図9および10は圧電部材420の二つの形態を表すが、他の電圧が他の角度を提供することもできることが留意されよう。たとえば、図9は、電圧が圧電部材420に印加されず、およびθが30°になるように圧電部材420が構成されている元々の状態を表してもよい。さらに、図10は、1.5Vが圧電部材420に印加され、およびθ′が32°になるように圧電部材420が変形している状態を表してもよい。加えて、図示されないが、本開示の局面にしたがって、より大きな電圧（たとえば3.0V）を圧電部材420に印加することもでき、そして圧電部材420を、角度θが34°である点までさらに変形させてもよいことが留意されよう。当然、本開示の局面にしたがって他の電圧および角度が考えられ、所望により、かつ使用されてもよい。たとえば、本開示の局面にしたがって、角度が5°以下だけ変形してもよい。
【００６６】
上記態様は、圧電部材420が、電場が印加されないときの第一の角度θおよび電場が印加されるときの、第一の角度θよりも大きい第二の角度θ′を画定する形態を参照するが、他の態様が本開示の範囲内であることが留意されよう。たとえば、本開示の他の局面にしたがって、圧電部材420は、電場が印加されないときの第一の角度θおよび電場が印加されるときの、第一の角度θよりも小さい第二の角度θ′を画定する。換言するならば、圧電部材420は、電場が印加されたとき「収縮」して角度を減らしもよい。
【００６７】
本開示の局面にしたがって、圧電材料は、ゴルフクラブヘッドの他の属性を選択的に制御または調節するために、さらに他の方法でゴルフクラブヘッドに組み込まれてもよい。たとえば、本開示の局面にしたがって、圧電材料は、ゴルフクラブヘッドの打球面中のスラット板の深さまたは厚さを制御するためにゴルフクラブヘッド内に構成されてもよい。たとえば、図11〜12は、本開示の局面のゴルフクラブヘッドボディの代替態様を示す。具体的には、図11は、圧電部材520が第一の位置にある本開示の局面のゴルフクラブヘッド502の例示的態様の断面図を示す。図12は、圧電部材520が第二の位置にある本開示の局面のゴルフクラブヘッド502の例示的態様の断面図を示す。
【００６８】
図11および12に示す態様のいくつかの特徴は上記態様に類似しており、したがって、簡潔さのために、ここで詳細には説明しないことが留意されよう。しかし、本開示の局面にしたがって、かつ図11および12に示す態様に示すように、圧電部材520は、ゴルフクラブヘッド502の溝509aを画定する、打球面509のスラット板509bの深さまたは厚さを選択的に制御し、かつ調節するためにゴルフクラブヘッド502内に構成されてもよいことが留意されよう。したがって、以下に述べるように、本開示の局面にしたがって、圧電部材520は、ゴルフショット中にゴルフクラブヘッド502がゴルフボールに付与するスピンの量を選択的に制御し、かつ調節するために使用されてもよい。
【００６９】
図11および12に示す例示的態様に見られるように、本開示の局面にしたがって、圧電部材520は、ゴルフクラブヘッド509の打球面509中の個々のスラット板509bそれぞれの背後に配置されてもよい。たとえば、図11および12に見られるように、圧電部材520は、ゴルフクラブヘッド502の打球面509中の個々のスラット板509bそれぞれの実質的または完全に背後に延びるように構成されてもよい。さらに、図11および12に見られるように、本開示の局面にしたがって、圧電部材520は、圧電部材520の高さ（たとえば、ソール−クラウン方向に対する）が打球面509の対応するスラット板509bの高さと同じであるように構成されてもよい。
【００７０】
図11は、電場が圧電部材520に印加されてないときの第一の位置（たとえば元々の状態）にある、ゴルフクラブヘッド502中の圧電部材520を示す。図11に見られるように、打球面509のスラット板509bは、少なくとも部分的に、深さD1を含む溝509aを画定する。対照的に、図12は、電場が圧電部材520に印加されているときの第二の位置（たとえば変形状態）にある、ゴルフクラブヘッド502中の圧電部材520を示す。図12に見られるように、圧電部材520のサイズは増しており、それにより、打球面509のスラット板509bは、図11に見られる打球面の元々の面を越えて延びている。したがって、打球面509のスラット板509bは今や、D1よりも大きいD2の深さを含む第二のサイズの溝509aを画定する。したがって、ゴルフクラブヘッド502の溝509aの容積は増す。したがって、本開示の局面にしたがって、ゴルフクラブヘッド502の打球面509のスラット板509bの背後に配置された圧電部材520を操作することによって（たとえば、電場を圧電部材520に印加することによって）、ゴルフクラブヘッド502の溝509aの容積が制御（たとえば増減）されてもよいことが理解されよう。
【００７１】
第一の態様に関して上述したように、溝509aは、打球面509とゴルフボールとの間に生じる摩擦に影響することができる。たとえば、溝の寸法が、ゴルフボールに加えられる摩擦の量、ひいてはゴルフショット中、ゴルフボールが打球面509を離れるときゴルフボールが有するバックスピンの量に影響してもよい。たとえば、より大きく、より深い溝は、より多くのグリップを有してもよく、かつまた、破片（たとえば土、砂、草など）がゴルフボールと打球面との間に挟まることを防いで、それにより、溝をゴルフボールと接触させてもよい。
【００７２】
したがって、本開示の局面にしたがって、かつ図11を図12と比較することによって見られるように、ゴルフクラブヘッド502の打球面509のスラット板509bの背後に配置された圧電部材520を操作することにより、ゴルフクラブヘッドの溝509aの容積を増大または減少させてもよく、その結果、ゴルフスイング中、ゴルフクラブヘッド502とゴルフボールとの衝突時、より多い、またはより少ないバックスピンを生じさせてもよい。さらに、図11および12は圧電部材520の二つのサイズを表すが、他の電圧が印加されて他のサイズを提供してもよいことが留意されよう。たとえば、図11は、電圧が圧電部材520に印加されず、およびD1が0.5mmになるように圧電部材520が構成されている元々の状態を表してもよい。さらに、図12は、1.5Vが圧電部材520に印加され、およびD2が0.6mmになるように圧電部材520が変形している状態を表してもよい。加えて、図示されないが、本開示の局面にしたがって、より大きな電圧（たとえば3.0V）を圧電部材520に印加することもでき、圧電部材520を、そして深さ（たとえばD3）が0.7mmである点までさらに変形させてもよいことが留意されよう。当然、本開示の局面にしたがって他の電圧および寸法が考えられ、所望により、かつ使用されてもよい。
【００７３】
上記態様は、圧電部材520が、電場が印加されないときの深さD1の溝を画定する第一のサイズおよび電場が印加されるときの、D1よりも大きいD2の深さの溝を画定する第二のサイズを有する形態を参照するが、他の態様が本開示の範囲内であることが留意されよう。たとえば、本開示の他の局面にしたがって、圧電部材520は、電場が印加されないときの深さD1の溝を画定する第一のサイズおよび電場が印加されるときの、D1よりも小さいD2の深さの溝を画定する第二のサイズを有する。換言するならば、圧電部材120は、電場が印加されたとき「収縮」してもよい。したがって、打球面509のスラット板509bは、図11に見られる打球面の元々の面の中に引き込まれる。
【００７４】
上述したように、本開示は、主としてアイアンタイプゴルフクラブヘッド（アイアンタイプハイブリッドゴルフクラブヘッドを含む）における使用に関して説明されたが、当業者は、本開示の局面および特徴がアイアンタイプゴルフクラブヘッドとの使用に限定されないということを理解するであろう。たとえば、望むならば、本開示を逸脱することなく、図1および3〜12に示すアイアンタイプクラブヘッドボディ部材に代えてパタータイプおよび／またはウッドタイプボディ部材が用いられてもよく、ならびに同じまたは類似した特徴および／または構造がパターまたはウッド構造に含められることもできる。たとえば、図14は、パタータイプゴルフクラブヘッド602が、パタータイプゴルフクラブヘッド602の打球面609の溝と係合した複数の圧電部材620を有するように構成されている本開示の局面の態様を示す。このようにして、図1および3、4、5Aおよび5Bに示す態様に関して上述したやり方と同様なやり方で溝609aの容積を調節することができる。したがって、上記様々な特徴のいずれが、アイアンタイプ、ウッドタイプ、ハイブリッドタイプ、パタータイプなどのゴルフクラブヘッドおよびゴルフクラブ構造を含む様々なタイプのゴルフクラブヘッドおよびゴルフクラブ構造に組み込まれてもよいことが理解されよう。
【００７５】
III. 結び
本開示は、上記および添付図面において、多様な例示的構造、特徴、要素ならびに構造、特徴および要素の組み合わせを参照して説明されている。しかし、本開示によって果たされる目的は、本開示の範囲を限定することではなく、本開示に関連する様々な特徴および概念の例を提供することである。当業者は、特許請求の範囲によって画定される本開示の範囲を逸脱することなく、上記態様に対して数多くの改変および変更が加えられてもよいことを理解するであろう。たとえば、本開示を逸脱することなく、図1および3〜14に関連して上述した様々な特徴および概念が個々に、および／または任意の組み合わせもしくは部分的組み合わせで使用されてもよい。
【図１】
0005959641.tif 000002
【図２】
0005959641.tif 000003
【図３】
0005959641.tif 000004
【図４Ａ】
0005959641.tif 000005
【図４Ｂ】
0005959641.tif 000006
【図４Ｃ】
0005959641.tif 000007
【図５】
0005959641.tif 000008
【図６Ａ】
0005959641.tif 000009
【図６Ｂ】
0005959641.tif 000010
【図７】
0005959641.tif 000011
【図８】
0005959641.tif 000012
【図９】
0005959641.tif 000013
【図１０】
0005959641.tif 000014
【図１１】
0005959641.tif 000015
【図１２】
0005959641.tif 000016
【図１３】
0005959641.tif 000017
【図１４】
0005959641.tif 000018